(57)【要約】【課題】使用者が血糖値の測定を行う適切なタイミングを提示することができる、提示方法、提示装置、及び提示プログラムを提供する。【解決手段】表示装置１６は使用者Ｕのグルコース値を所定の時間間隔で持続血糖測定器１４が測定した測定結果と、当該測定を行った測定時刻とが対応付けられた持続血糖測定データ３１Ａを取得し、取得した持続血糖測定データ３１Ａに基づいて、自己血糖測定器１２を用いて使用者Ｕが血糖値の自己測定を行うタイミングを判定して提示する。【選択図】図８
2019018005.tif 000002
【特許請求の範囲】
【請求項１】
第１測定装置を用いて所定の時間間隔で使用者のグルコース値を測定した測定結果と、前記測定結果を取得した測定時刻と、を含む第１情報を取得し、
前記第１情報と、予め定められたグルコース値の閾値及び予め設定された期間と、を比較し、比較結果に基づいて、前記使用者が第２測定装置を用いて血糖値の測定を行う測定タイミングを判定し、
前記測定タイミングを表示部に提示する、
ことを含む、血糖値の測定タイミングの提示方法。
【請求項２】
前記測定タイミングを判定することは、前記第１情報と、前記予め定められたグルコース値の閾値である第１閾値及び前記予め設定された期間である第１設定期間とを比較し、
前記第１情報に含まれる前記グルコース値が連続して前記第１閾値未満である第１期間が、前記第１設定期間以上である場合、前記第１期間を前記測定タイミングとして判定する、
請求項１に記載の提示方法。
【請求項３】
前記測定タイミングを判定することは、前記第１情報と、前記予め定められたグルコース値の閾値である第２閾値及び前記予め設定された期間である第２設定期間とを比較し、
前記第１情報に含まれる前記グルコース値が連続して前記第２閾値以上である第２期間が、前記第２設定期間以上である場合、前記第２期間を前記測定タイミングとして判定する、
請求項１に記載の提示方法。
【請求項４】
１日を複数の時間帯に分割し、前記複数の時間帯の各々について、前記測定タイミングを判定する、請求項１〜請求項３のいずれか１項に記載の提示方法。
【請求項５】
前記第２測定装置を用いて前記使用者の血糖値を測定した測定結果と、前記測定結果を取得した測定時刻とを含む第２情報を取得し、
前記第２情報に基づいて、前記第２測定装置による前記複数の時間帯の各々における測定回数を判定し、
前記測定回数が所定の測定回数以下の時間帯がある場合、当該時間帯について前記測定タイミングを判定する、
請求項４に記載の提示方法。
【請求項６】
前記第１測定装置は、前記使用者の皮膚に装着したセンサを用いてグルコース値を測定する装置である、請求項１から請求項５のいずれか１項に記載の提示方法。
【請求項７】
前記第１測定装置は、センサを用いて前記使用者の間質液中のグルコース値を測定するＣＧＭ（Continuous Glucose Monitoring）またはＦＧＭ（Flash Glucose Monitoring）に用いられる装置である、請求項１〜請求項５のいずれか１項に記載の提示方法。
【請求項８】
前記第２測定装置は、前記使用者によるＳＭＢＧ（Self Monitoring of Blood Glucose）に用いられる装置である、請求項１〜請求項７のいずれか１項に記載の提示方法。
【請求項９】
第１測定装置を用いて所定の時間間隔で使用者のグルコース値を測定した測定結果と、前記測定結果を取得した測定時刻と、を含む第１情報を取得する取得部と、
前記第１情報と、予め定められたグルコース値の閾値及び予め設定された期間と、を比較し、比較結果に基づいて、前記使用者が第２測定装置を用いて血糖値の測定を行う測定タイミングを判定する判定部と、
前記測定タイミングを表示部に提示する提示部と、
を備えた提示装置。
【請求項１０】
コンピュータに、
第１測定装置を用いて所定の時間間隔で使用者のグルコース値を測定した測定結果と、前記測定結果を取得した測定時刻と、を含む第１情報を取得し、
前記第１情報と、予め定められたグルコース値の閾値及び予め設定された期間と、を比較し、比較結果に基づいて、前記使用者が第２測定装置を用いて血糖値の測定を行う測定タイミングを判定し、
前記測定タイミングを表示部に提示する、
処理を実行させるための提示プログラム。
【発明の詳細な説明】
【技術分野】
【０００１】
本発明は、提示方法、提示装置、及び提示プログラムに係り、特に、血糖値の測定タイミングを提示する提示方法、提示装置、及び提示プログラムに関する。
【背景技術】
【０００２】
従来から、糖尿病の患者等の使用者の血糖値を測定する測定器として様々な形態のものが知られている。例えば、血糖値の測定器として、自己の指先を穿刺して得られた血液をセンサに付着させて血糖値を測定する測定器が知られている（例えば、特許文献１参照）。この場合の測定器の一例として、いわゆる、ＳＭＢＧ（Self Monitoring of Blood Glucose）に用いられる測定器が知られている。以下、この種の測定器を「自己血糖測定器」という。
【０００３】
また、例えば、血糖値を含むグルコース値の測定器として、使用者の皮膚に装着したセンサ等により、所定の時間間隔で自動的に、かつ持続的に使用者のグルコース値を測定する測定器が知られている（例えば、特許文献２参照）。この場合の測定器の例として、いわゆる、ＣＧＭ（Continuous Glucose Monitoring）やＦＧＭ（Flash Glucose Monitoring）に用いられる測定器が知られている。以下、この種の測定器を「持続血糖測定器」という。
【先行技術文献】
【特許文献】
【０００４】
【特許文献１】特開２０１６−１３３８９０号公報
【特許文献２】特表２０１７−５１５５２０号公報
【発明の概要】
【発明が解決しようとする課題】
【０００５】
ところで、使用者の血糖値の変動を把握するためには、持続的に血糖値を測定することが好ましいため、持続血糖測定器を用いることが好ましい。しかしながら、上述したように、持続血糖測定器は、測定期間の間、常にセンサを皮膚に装着していなければならない。そのため、使用者がセンサを煩わしく感じる場合があり、また、センサを装着し続けることが困難な場合もある。また、現状では、持続血糖測定器による測定にかかる費用は、自己血糖測定器による測定にかかる費用よりも高価となっている。
【０００６】
そこで、現状では、持続血糖測定器よりも、自己血糖測定器を用いて血糖値の測定を行う使用者が多い。しかしながら、自己血糖測定器による測定では、持続的な測定は困難であり、一般的には使用者の任意のタイミングに、ピンポイントで測定が行われる。そのため、使用者が高血糖状態や低血糖状態であるタイミングに、必ずしも測定が行われるとは限らず、使用者にとって適切なタイミングに測定が行われない場合がある。
【０００７】
本発明は、使用者が血糖値の測定を行う適切なタイミングを提示することができる、提示方法、提示装置、及び提示プログラムを提供することを目的とする。
【課題を解決するための手段】
【０００８】
本発明の第１の態様は、提示方法であって、第１測定装置を用いて所定の時間間隔で使用者のグルコース値を測定した測定結果と、前記測定結果を取得した測定時刻と、を含む第１情報を取得し、前記第１情報と、予め定められたグルコース値の閾値及び予め設定された期間と、を比較し、比較結果に基づいて、前記使用者が第２測定装置を用いて血糖値の測定を行う測定タイミングを判定し、前記測定タイミングを表示部に提示する、ことを含む。
【０００９】
本発明の第２の態様の提示方法は、第１の態様において、前記測定タイミングを判定することは、前記第１情報と、前記予め定められたグルコース値の閾値である第１閾値及び前記予め設定された期間である第１設定期間とを比較し、前記第１情報に含まれる前記グルコース値が連続して前記第１閾値未満である第１期間が、前記第１設定期間以上である場合、前記第１期間を前記測定タイミングとして判定する。
【００１０】
本発明の第３の態様の提示方法は、第１の態様において、前記測定タイミングを判定することは、前記第１情報と、前記予め定められたグルコース値の閾値である第２閾値及び前記予め設定された期間である第２設定期間とを比較し、前記第１情報に含まれる前記グルコース値が連続して前記第２閾値以上である第２期間が、前記第２設定期間以上である場合、前記第２期間を前記測定タイミングとして判定する。
【００１１】
本発明の第４の態様の提示方法は、第１の態様から第３の態様の何れかにおいて、１日を複数の時間帯に分割し、前記複数の時間帯の各々について、前記測定タイミングを判定する。
【００１２】
本発明の第５の態様の提示方法は、第４の態様において、前記第２測定装置を用いて前記使用者の血糖値を測定した測定結果と、前記測定結果を取得した測定時刻とを含む第２情報を取得し、前記第２情報に基づいて、前記第２測定装置による前記複数の時間帯の各々における測定回数を判定し、前記測定回数が所定の測定回数以下の時間帯がある場合、当該時間帯について前記測定タイミングを判定する。
【００１３】
本発明の第６の態様の提示方法は、上記態様の何れかにおいて、前記第１測定装置は、前記使用者の皮膚に装着したセンサを用いてグルコース値を測定する装置である。
【００１４】
本発明の第７の態様の提示方法は、第１の態様から第５の態様の何れかにおいて、前記第１測定装置は、センサを用いて前記使用者の間質液中のグルコース値を測定するＣＧＭ（Continuous Glucose Monitoring）またはＦＧＭ（Flash Glucose Monitoring）に用いられる装置である。
【００１５】
本発明の第８の態様の提示方法は、上記態様において、前記第２測定装置は、前記使用者によるＳＭＢＧ（Self Monitoring of Blood Glucose）に用いられる装置である。
【００１６】
本発明の第９の態様は提示装置であって、第１測定装置を用いて所定の時間間隔で使用者のグルコース値を測定した測定結果と、前記測定結果を取得した測定時刻と、を含む第１情報を取得する取得部と、前記第１情報と、予め定められたグルコース値の閾値及び予め設定された期間と、を比較し、比較結果に基づいて、前記使用者が第２測定装置を用いて血糖値の測定を行う測定タイミングを判定する判定部と、前記測定タイミングを表示部に提示する提示部と、を備える。
【００１７】
本発明の第１０の態様は提示プログラムであって、コンピュータに、第１測定装置を用いて所定の時間間隔で使用者のグルコース値を測定した測定結果と、前記測定結果を取得した測定時刻と、を含む第１情報を取得し、前記第１情報と、予め定められたグルコース値の閾値及び予め設定された期間と、を比較し、比較結果に基づいて、前記使用者が第２測定装置を用いて血糖値の測定を行う測定タイミングを判定し、前記測定タイミングを表示部に提示する、処理を実行させる。
【発明の効果】
【００１８】
本発明によれば、使用者が血糖値の測定を行う適切なタイミングを提示することができる、という効果を有する。
【図面の簡単な説明】
【００１９】
【図１】実施形態の血糖値測定システムの概略構成の一例を示す構成図である。
【図２】実施形態の自己血糖測定器の構成の一例を示すブロック図である。
【図３】実施形態の自己血糖測定器の記憶部に記憶される情報の一例を説明する図である。
【図４】実施形態の持続血糖測定器の構成の一例を示すブロック図である。
【図５】実施形態の持続血糖測定器の記憶部に記憶される情報の一例を説明する図である。
【図６】実施形態の表示装置の構成の一例を示すブロック図である。
【図７】実施形態の日内変動グラフ表示画面の一例を示す図である。
【図８】第１実施形態の表示装置で実行される提示処理の一例を示すフローチャートである。
【図９】第１実施形態の表示装置の表示部に表示されるアドバイス画面の一例を示す図である。
【図１０】第１実施形態の表示装置の表示部に表示されるアドバイス画面におけるアドバイスの詳細の表示の一例を示す図である。
【図１１】第１実施形態の表示装置で実行される提示処理の一例を示すフローチャートである。
【図１２】第２実施形態の表示装置の表示部に表示されるアドバイス画面の一例を示す図である。
【図１３】第３実施形態の表示装置で実行される提示処理の一例を示すフローチャートである。
【発明を実施するための形態】
【００２０】
[第１実施形態]
以下、本発明の第１実施形態について詳細に説明する。
【００２１】
図１には、本実施形態の血糖値測定システム１０の概略構成の一例を表す構成図を示す。図１に示すように、本実施形態の血糖値測定システム１０は、使用者Ｕの血糖値を測定するための自己血糖測定器１２と、使用者Ｕのグルコース値を測定するための持続血糖測定器１４と、測定した血糖値を含むグルコース値を表示するための表示装置１６と、を備える。なお、持続血糖測定器１４には、血中のグルコース値（血糖値）を測定する装置の他、間質液等に含まれるグルコース値を測定する装置が存在する。一般的には、持続血糖測定器における間質液等に含まれるグルコース値であっても血糖値と称する。しかしながら、本実施形態においては、持続血糖測定器１４で測定した結果のみを表現する場合はグルコース値と称し、自己血糖測定器１２単体で測定した結果を示す場合、及び自己血糖測定器１２及び持続血糖測定器１４で測定した結果の両方を示す場合は、血糖値と称する。
【００２２】
本実施形態の自己血糖測定器１２は、使用者Ｕが、ＳＭＢＧとして用いられる測定器である。自己血糖測定器１２により測定を行う場合、使用者Ｕは、自己の指先を穿刺して得られた血液をセンサ２８に付着させる。自己血糖測定器１２は、センサ２８に付着された血液中の血糖値を測定し、数日分（本実施形態では、一例として２週間分）の測定結果を記憶する。自己血糖測定器１２による血糖値の測定は、使用者Ｕにより、任意のタイミングで行われる。測定を行うタイミングとしては、例えば、食前、食後、運動前後、及び就寝前後等のうちの任意のタイミングや、使用者Ｕが自己の血糖値を知りたいと思ったタイミング等が挙げられる。本実施形態の自己血糖測定器１２が、本開示の第２装置の一例である。
【００２３】
図２には、本実施形態の自己血糖測定器１２の構成の一例を示すブロック図を示す。図２に示すように、本実施形態の自己血糖測定器１２は、制御部２０、記憶部２１、Ｉ／Ｆ（インターフェース）部２２、表示部駆動部２３、表示部２４、操作入力検出部２５、操作部２６、及びセンサ２８を備える。制御部２０、記憶部２１、Ｉ／Ｆ部２２、表示部駆動部２３、操作入力検出部２５、及びセンサ２８は、バス２９を介して互いに接続されている。
【００２４】
制御部２０は、いわゆるマイクロプロセッサであり、ＣＰＵ（Central Processing Unit）２０Ａ、ＲＯＭ（Read Only Memory）２０Ｂ、及びＲＡＭ（Random Access Memory）２０Ｃを備える。ＣＰＵ２０Ａは、自己血糖測定器１２の全体的な動作を司る。ＲＯＭ２０Ｂは、各種プログラム及び各種パラメータ等を予め記憶する。ＲＡＭ２０Ｃは、ＣＰＵ２０Ａによる各種プログラムの実行時のワークエリア等として用いられる。
【００２５】
記憶部２１は、フラッシュメモリ等のメモリであり、図３に一例を示した、使用者Ｕが測定した血糖値と測定時刻とを対応付けた情報を複数含む自己血糖測定データ２１Ａが記憶される。なお、図３に示すように、自己血糖測定データ２１Ａに記憶される本実施形態の測定時刻は、血糖値を測定した年月日及び時刻を含む。本実施形態の自己血糖測定データ２１Ａが、本開示の第２情報の一例である。
【００２６】
また、Ｉ／Ｆ部２２は、無線通信等により、持続血糖測定器１４及び表示装置１６との間で各種情報の送受信を行う。
【００２７】
また、表示部２４は、測定結果である血糖値等の各種情報を表示する。表示部駆動部２３は、表示部２４への各種情報の表示を制御する。操作部２６は、血糖値の測定の指示や測定した血糖値の表示等に関する指示を使用者Ｕが行うために用いられる。操作入力検出部２５は、操作部２６に対する使用者Ｕ等の操作状態を検出する。本実施形態では、一例として表示部２４は液晶モニタであり、操作部２６は各種ボタン等であるが、表示部２４及び操作部２６の形態は特に限定されず、例えば、表示部２４と操作部２６とが一体化されたタッチパネルディスプレイの形態であってもよい。
【００２８】
センサ２８は、使用者Ｕによって付着された血液中のグルコースの濃度、すなわち血糖値を検出する機能を有する。なお、本開示において「血糖値」とは、血液中のグルコースの濃度に対応している。また、本開示において「グルコース値」とは、間質液等も含む血液に限定されない体液中のグルコースの濃度に対応している。
【００２９】
一方、本実施形態の持続血糖測定器１４は、使用者Ｕが、ＣＧＭとして用いられる測定器である。持続血糖測定器１４により測定を行う場合、使用者Ｕの皮膚に装着されたセンサ部３８により、所定の時間間隔で自動的に、かつ持続的に間質液中のグルコース値が測定され、数日分（本実施形態では、一例として２週間分）の測定結果が持続血糖測定器１４内に記憶される。本実施形態の持続血糖測定器１４が、本開示の第１装置の一例である。
【００３０】
図４には、本実施形態の持続血糖測定器１４の構成の一例を示すブロック図を示す。図４に示すように、本実施形態の持続血糖測定器１４は、本体部１５及びセンサ部３８を備える。本体部１５は、制御部３０、記憶部３１、Ｉ／Ｆ部３２、表示部駆動部３３、表示部３４、操作入力検出部３５、及び操作部３６を備える。制御部３０、記憶部３１、Ｉ／Ｆ部３２、表示部駆動部３３、及び操作入力検出部３５は、バス３９を介して互いに接続されている。
【００３１】
制御部３０は、いわゆるマイクロプロセッサであり、ＣＰＵ３０Ａ、ＲＯＭ３０Ｂ、及びＲＡＭ３０Ｃを備える。ＣＰＵ３０Ａは、持続血糖測定器１４の全体的な動作を司る。ＲＯＭ３０Ｂは、各種プログラム及び各種パラメータ等を予め記憶する。ＲＡＭ３０Ｃは、ＣＰＵ３０Ａによる各種プログラムの実行時のワークエリア等として用いられる。
【００３２】
記憶部３１は、フラッシュメモリ等のメモリであり、図５に一例を示した、センサ部３８により測定したグルコース値と測定時刻とを対応付けた持続血糖測定データ３１Ａが記憶される。なお、図５に示すように、持続血糖測定データ３１Ａに記憶される本実施形態の測定時刻は、グルコース値を測定した年月日及び時刻を含む。本実施形態の持続血糖測定データ３１Ａが、本開示の第１情報の一例である。
【００３３】
また、Ｉ／Ｆ部３２は、無線通信等により、自己血糖測定器１２及び表示装置１６との間で各種情報の送受信を行う。さらに、本実施形態のＩ／Ｆ部３２には、無線通信により、センサ部３８のＩ／Ｆ部３８Ｂからセンサ３８Ａで検出したグルコース値に応じた情報（以下、単に「グルコース値」という）が入力される。
【００３４】
また、表示部３４は、測定結果である血糖値等の各種情報を表示する。表示部駆動部３３は、表示部３４への各種情報の表示を制御する。操作部３６は、測定した血糖値の表示等に関する指示を使用者Ｕが行うために用いられる。操作入力検出部３５は、操作部３６に対する使用者Ｕ等の操作状態を検出する。本実施形態では、一例として表示部３４は液晶モニタであり、操作部３６は各種ボタン等であるが、表示部３４及び操作部３６は特に限定されず、例えば、表示部３４と操作部３６とが一体化されたタッチパネルの形態であってもよい。
【００３５】
センサ部３８は、センサ３８Ａ及びＩ／Ｆ部３８Ｂを備える。センサ３８Ａは、上述したように使用者Ｕの皮膚に装着され、皮下組織の間質液中のグルコース値を所定の時間間隔（本実施形態では、一例として１０秒間隔）毎に検出する。センサ３８Ａが検出したグルコース値は、Ｉ／Ｆ部３８Ｂ及びＩ／Ｆ部３２を介して本体部１５に入力される。
【００３６】
本体部１５の制御部３０は、入力されたグルコース値を所定の時間間隔（本実施形態では、一例として５分間隔）毎に平均化し、平均化したグルコース値と、測定時刻とを対応付けた情報を持続血糖測定データ３１Ａとして記憶部３１に記憶させる。
【００３７】
なお、本実施形態の持続血糖測定器１４には、自己血糖測定器１２により測定された血糖値が、使用者Ｕによる操作部３６の操作によって定期的に、例えば、１日に数回の頻度で入力され、入力された血糖値に基づいて、校正（キャリブレーション）が行われる。
【００３８】
一方、表示装置１６は、自己血糖測定器１２で測定した血糖値及び持続血糖測定器１４で測定したグルコース値を表示するための装置である。また、本実施形態の表示装置１６は、持続血糖測定器１４で測定したグルコース値に基づき、使用者Ｕが自己の血糖を自己血糖測定器１２により測定する適切なタイミングのアドバイスを提示知るための装置でもある。本実施形態では、表示装置１６は、医師等（以下、単に「医師」という）により操作される。なお、本実施形態の表示装置１６が、本開示の提示装置の一例である。
【００３９】
図６には、本実施形態の表示装置１６の構成の一例を示すブロック図を示す。図６に示すように、本実施形態の表示装置１６は、制御部４０、記憶部４１、Ｉ／Ｆ部４２、表示部駆動部４３、表示部４４、操作入力検出部４５、及び操作部４６を備える。
【００４０】
制御部４０は、ＣＰＵ４０Ａ、ＲＯＭ４０Ｂ、及びＲＡＭ４０Ｃを備える。ＣＰＵ４０Ａは、表示装置１６の全体的な動作を司る。ＲＯＭ４０Ｂは、本開示の提示プログラムを含む各種プログラム及び各種パラメータ等を予め記憶する。ＲＡＭ４０Ｃは、ＣＰＵ４０Ａによる各種プログラムの実行時のワークエリア等として用いられる。
【００４１】
また、記憶部４１は、ＨＤＤ（Hard Disk Drive）等の不揮発性の記憶部である。本実施形態の記憶部４１は、自己血糖測定器１２から入力された自己血糖測定データ２１Ａ及び持続血糖測定器１４から入力された持続血糖測定データ３１Ａを記憶する。
【００４２】
また、Ｉ／Ｆ部４２は、無線通信等により、自己血糖測定器１２及び持続血糖測定器１４との間で各種情報の送受信を行う。
【００４３】
また、表示部４４は、測定結果である血糖値等の各種情報を表示する。表示部駆動部４３は、表示部４４への各種情報の表示を制御する。操作部４６は、血糖値の表示等に関する指示を医師が行うために用いられる。操作入力検出部４５は、操作部４６に対する医師の操作状態を検出する。本実施形態では、一例として表示部３４は液晶モニタであり、操作部３６はキーボード、マウス、及び各種ボタン等であるが、表示部３４及び操作部３６は特に限定されず、例えば、表示部３４と操作部３６とが一体化されたタッチパネルの形態であってもよい。
【００４４】
次に、本実施形態の作用について説明する。
【００４５】
上述したように、使用者Ｕは、１日に数回、任意のタイミングで自己の指先を穿刺して得られた血液の血糖値を自己血糖測定器１２により測定する。また、使用者Ｕは、持続血糖測定器１４のセンサ部３８を皮膚に装着しており、持続血糖測定器１４によって所定の時間間隔で自動的に、かつ持続的にグルコース値が測定される。使用者Ｕは、数日、本実施形態では、一例として２週間程度の測定結果を記憶した自己血糖測定器１２及び持続血糖測定器１４を持って、表示装置１６を有する医師の元に訪れる。
【００４６】
医師が、自己血糖測定器１２と表示装置１６とを無線または有線により接続すると、自己血糖測定器１２の記憶部２１に記憶された自己血糖測定データ２１Ａが、自己血糖測定器１２から表示装置１６に入力され、記憶部４１に記憶される。また、同様に、医師が、持続血糖測定器１４と表示装置１６とを無線または有線により接続すると、持続血糖測定器１４の記憶部３１に記憶された持続血糖測定データ３１Ａが、持続血糖測定器１４から表示装置１６に入力され、記憶部４１に記憶される。
【００４７】
表示装置１６の制御部４０は、記憶部４１に記憶された自己血糖測定データ２１Ａ（第２情報）に基づき、自己血糖測定器１２により測定した血糖値の１日あたりの変動を表す日内変動グラフ（以下、「自己測定日内変動グラフ５２」という）を生成して、表示部４４に表示させる。自己測定日内変動グラフ５２の生成方法、及び表示方法は特に限定されず、例えば、特開２０１６−１３３８９０号公報に開示されている方法を用いることができる。
【００４８】
また、表示装置１６の制御部４０は、記憶部４１に記憶された持続血糖測定データ３１Ａ（第１情報）に基づき、持続血糖測定器１４により測定したグルコース値の１日あたりの変動を表す日内変動グラフ（以下、「持続測定日内変動グラフ５４」という）を生成して、表示部４４に表示させる。持続測定日内変動グラフ５４の生成方法、及び表示方法は特に限定されず、例えば、特開２０１７−５１５５２０号公報に開示されている方法を用いることができる。
【００４９】
なお、本実施形態の表示装置１６は、自己測定日内変動グラフ５２及び持続測定日内変動グラフ５４を同一の画面に、並べて表示部４４に表示させる。図７には、自己測定日内変動グラフ５２と持続測定日内変動グラフ５４とが表示された日内変動グラフ表示画面５０の一例を示す。
【００５０】
図７に示すように、自己測定日内変動グラフ５２では、測定日毎に、血糖値の変動が１本の線で表されており、測定日数分の変動を表す線が、時間軸を共通にして１つのグラフに重ね合わせて表示されている。また同様に、図７に示すように、持続測定日内変動グラフ５４では、測定日毎に、グルコース値の変動が１本の線で表されており、測定日数分の変動を表す線が、時間軸を共通にして１つのグラフに重ね合わせて表示されている。
【００５１】
日内変動グラフ表示画面５０に表示される自己測定日内変動グラフ５２及び持続測定日内変動グラフ５４は、横軸のパラメータである時刻を揃えている。そのため医師や使用者Ｕは、自己血糖測定器１２による測定結果と、持続血糖測定器１４による測定結果との比を容易に行えるようになる。
【００５２】
ところで、本実施形態の血糖値測定システム１０では、１日を複数の時間帯に分割した時間帯毎に、自己血糖測定器１２よる血糖値の管理が行われる。血糖値の管理を行う時間帯は、例えば、飲食を行う時刻、就寝時刻、起床時刻、運動時刻、及びインスリンの投与を行っている場合はインスリンの投与時刻等の、使用者Ｕの生活リズム等に応じて定めることができる。なお、これらに限らず、２４時間を特定の開始時刻から、均等に分割することにより上記時間帯を定めてもよい。本実施形態では、一例として、０８時００分、１０時２０分、１２時４０分、１６時０５分、１９時３０分、２１時１５分、２３時００分、及び０１時００分により区切られる、８つの時間帯により、血糖値の管理を行う場合について説明する。
【００５３】
図７に示した日内変動グラフ表示画面５０では、１２時４０分から１６時０５分までの時間帯における血糖値を自己測定日内変動グラフ５２と持続測定日内変動グラフ５４とで比較すると、自己測定日内変動グラフ５２の方が低い値となっている。
【００５４】
具体的には、１２時４０分から１６時０５分までの時間帯において使用者Ｕは、持続測定日内変動グラフ５４を参照すると、大部分の測定日において高血糖となっているにも係わらず、自己測定日内変動グラフ５２では、大部分の測定日において高血糖となっていない。このような、自己測定日内変動グラフ５２と持続測定日内変動グラフ５４とにおける血糖値の相違（血糖値の変動の相違）は、その時間帯において、自己血糖測定器１２による血糖値の測定回数が少ないことに起因して生じる。
【００５５】
そこで、本実施形態の表示装置１６は、持続血糖測定データ３１Ａに基づいて、使用者Ｕが自己血糖測定器１２により血糖値を測定する適切な測定タイミングを提示する機能を有する。本実施形態では、図７に示したように、日内変動グラフ表示画面５０に表示されたボタン５６を医師が操作部４６を用いて押す（クリックする）と、自己血糖測定器１２による測定タイミング（以下、「測定ポイント」ともいう）を提示するための提示処理が制御部４０によって実行される。
【００５６】
図８には、本実施形態の表示装置１６の制御部４０によって実行される提示処理の流れの一例を表したフローチャートを示す。なお、本実施形態では、制御部４０のＣＰＵ４０Ａが、ＲＯＭ４０Ｂに記憶されている提示プログラムを実行することにより、図８に示した提示処理が実行され、制御部４０が、本開示の取得部、判定部及び提示部の一例として機能する。
【００５７】
図８のステップＳ１００で制御部４０は、１つの時間帯についての持続血糖測定データ３１Ａを記憶部４１から取得する。例えば、制御部４０は、各測定日における８時００分から１０時２０分までの時間帯の持続血糖測定データ３１Ａを記憶部４１から取得する。
【００５８】
次のステップＳ１０２で制御部４０は、取得した持続血糖測定データ３１Ａに基づいて、グルコース値が第１閾値未満であり続ける期間（以下、「第１期間」という）を測定日毎に判定する。ここで第１閾値は、使用者Ｕが低血糖状態であるか否かの判定に用いる閾値であり、「予め定められたグルコース値の閾値」の一例である。本実施形態では、一例として、第１閾値の初期値が予め定められており、本提示処理を開始した際は、当該初期値を用いて、第１期間を判定する。なお、第１期間を判定する際に、持続血糖測定データ３１Ａ中に、例えばノイズ等により生じた特異点とみなせるグルコース値が含まれる場合、当該特異点は無視するようにしてもよい。
【００５９】
次のステップＳ１０４で制御部４０は、判定した第１期間が第１設定期間以上であるか否かを判定する。ここで第１設定期間は、使用者Ｕが低血糖状態であるか否かの判定に用いる閾値であり、「予め設定された期間」の一例である。すなわち、本実施形態では、第１設定期間以上、グルコース値が第１閾値未満であり続けた場合に、使用者Ｕが低血糖状態にあるとみなす。
【００６０】
第１期間が第１設定期間以上である測定日が１日でもある場合、ステップＳ１０４の判定が肯定判定となり、ステップＳ１０６へ移行する。ステップＳ１０６で制御部４０は、測定ポイントとしてアドバイスを提示する対象として、第１期間を表す情報をＲＡＭ４０Ｃに保存させた後、ステップＳ１０８へ移行する。本実施形態では、一例として、第１期間を表す情報には、第１期間の開始日時、及び終了日時が含まれる。
【００６１】
一方、第１期間が第１設定期間以上である測定日が１日もない場合、すなわち、全ての測定日において第１期間が第１設定期間未満である場合、ステップＳ１０４の判定が否定判定となり、ステップＳ１０８へ移行する。
【００６２】
ステップＳ１０８で制御部４０は、上記ステップＳ１００で取得した持続血糖測定データ３１Ａに基づいて、グルコース値が第２閾値以上であり続ける期間（以下、「第２期間」という）を測定日毎に判定する。ここで第２閾値は、使用者Ｕが高血糖状態であるか否かの判定に用いる閾値であり、「予め定められたグルコース値の閾値」の一例である。本実施形態では、一例として、第２閾値の初期値が予め定められており、本提示処理を開始した際は、当該初期値を用いて、第２期間を判定する。なお、第２期間を判定する際も第１期間を判定する際と同様に、持続血糖測定データ３１Ａ中に、例えばノイズ等により生じた特異点とみなせるグルコース値が含まれる場合、当該特異点は無視するようにしてもよい。
【００６３】
次のステップＳ１１０で制御部４０は、判定した第２期間が第２設定期間以上であるか否かを判定する。ここで第２設定期間は、使用者Ｕが高血糖状態であるか否かの判定に用いる閾値であり、「予め設定された期間」の一例である。すなわち、本実施形態では、第２設定期間以上、グルコース値が第２閾値以上であり続けた場合に、使用者Ｕが高血糖状態にあるとみなす。
【００６４】
第２期間が第２設定期間以上である測定日が１日でもある場合、ステップＳ１１０の判定が肯定判定となり、ステップＳ１１２へ移行する。ステップＳ１１２で制御部４０は、測定ポイントとしてアドバイスを提示する対象として、第２期間を表す情報をＲＡＭ４０Ｃに保存させた後、ステップＳ１１４へ移行する。本実施形態では、一例として、第２期間を表す情報には、第２期間の開始日時、及び終了日時が含まれる。
【００６５】
一方、第２期間が第２設定期間以上である測定日が１日もない場合、すなわち、全ての測定日において第２期間が第２設定期間未満である場合、ステップＳ１１０の判定が否定判定となり、ステップＳ１１４へ移行する。
【００６６】
次のステップＳ１１４で制御部４０は、全ての時間帯について、ステップＳ１００〜Ｓ１１２の各処理を行ったか否かを判定する。まだ、ステップＳ１００〜Ｓ１１２の各処理を行っていない時間帯がある場合、ステップＳ１１４の判定が否定判定となり、ステップＳ１００に戻る。そして、制御部４０は、まだステップＳ１００〜Ｓ１１２の各処理を行っていない時間帯の持続血糖測定データ３１Ａを取得してステップＳ１００〜Ｓ１１２の各処理を実行する。
【００６７】
一方、全ての時間帯について、ステップＳ１００〜Ｓ１１２の各処理を行った場合、ステップＳ１１４の判定が肯定判定となり、ステップＳ１１６へ移行する。
【００６８】
ステップＳ１１６で制御部４０は、アドバイスを提示する対象が有るか否かを判定する。ＲＡＭ４０Ｃにアドバイスを提示する対象を表す情報が保存されていない場合、ステップＳ１１６の判定が否定判定となり、ステップＳ１２４へ移行する。一方、ＲＡＭ４０Ｃにアドバイスを提示する対象を表す情報が保存されている場合、ステップＳ１１６の判定が肯定判定となり、ステップＳ１１８へ移行する。
【００６９】
ステップＳ１１８で制御部４０は、ＲＡＭ４０Ｃに保存されているアドバイスを提示する対象を表す情報に基づいて、自己血糖測定器１２により血糖値を測定する測定ポイントのアドバイスを提示する画面を生成して、表示部４４に表示させる。
【００７０】
図９には、自己血糖測定器１２により血糖値を測定する測定ポイントのアドバイスを提示する画面の一例であるアドバイス画面６０の一例を示す。一例として図９に示したアドバイス画面６０のアドバイス提示領域６２には、アドバイスを提示する対象に応じたアドバイス６３が表示される。本実施形態では、図９に示すように、アドバイス６３として、自己血糖測定器１２により血糖値を測定すべき時間帯、当該時間帯における低血糖状態であった件数（第１期間の件数）、及び当該時間帯における高血糖状態であった件数（第２期間の件数）が表示される。
【００７１】
次のステップＳ１２０で制御部４０は、詳細を表示するか否かを判定する。本実施形態では、アドバイス提示領域６２に表示させた時間帯毎に、第１期間及び第２期間の詳細を表示することができる。本実施形態では、一例として、アドバイス提示領域６２に表示されたアドバイス６３から詳細を表示させたい時間帯を操作部４６を用いて医師が指定することにより、指定された時間帯における第１期間及び第２期間の詳細が、詳細表示領域６４に表示される。
【００７２】
本実施形態では、アドバイス提示領域６２に表示されたアドバイス６３に含まれる何れの時間帯も医師により指定されていない場合、ステップＳ１２０の判定が否定判定となり、ステップＳ１２４へ移行する。一方、アドバイス提示領域６２に表示されたアドバイス６３に含まれる何れかの時間帯が医師により指定された場合、ステップＳ１２０の判定が肯定判定となり、ステップＳ１２２へ移行する。
【００７３】
ステップＳ１２２で制御部４０は、指定された時間帯における第１期間及び第２期間の詳細を表す詳細情報６５を、ＲＡＭ４０Ｃを参照して生成し、アドバイス画面６０の詳細表示領域６４に表示させる。
【００７４】
図１０に示した一例では、アドバイス提示領域６２に表示されたアドバイス６３の中から、開始時刻が２１時１５分である時間帯における詳細を表示するよう医師により指定された状態を示している。図１０に示した一例では、開始時刻が２１時１５分である時間帯では、低血糖の件数が２件であり、高血糖の件数が３件である。そのため、図１０に示した一例では、詳細表示領域６４には、２件の第１期間の詳細、及び３件の第２期間の詳細を含む詳細情報６５が表示される。
【００７５】
次のステップＳ１２４で制御部４０は、測定ポイントの再計算を行うか否かを判定する。本実施形態では、医師が再設定した上記第１閾値、第１設定期間、第２閾値、及び第２設定期間に基づいて測定ポイントを再計算することができる。そのため、図１０に示した一例では、低血糖状態を判定するための第１閾値及び第１設定期間を再設定するための再設定情報６６及び高血糖状態を判定するための第２閾値及び第２設定期間を再設定するための再設定情報６８がアドバイス画面６０に表示される。再設定情報６６は第１閾値を設定するためのボックス６６Ａ及び第１設定期間を設定するためのボックス６６Ｂを含み、再設定情報６８は第２閾値を設定するためのボックス６８Ａ及び第２設定期間を設定するためのボックス６８Ｂを含む。ボックス６６Ａ、ボックス６６Ｂ、ボックス６８Ａ、及びボックス６８Ｂには、現在設定されている各々の値が表示されている。
【００７６】
医師は、第１閾値の再設定を行う場合、操作部４６によりボックス６６Ａに所望の第１閾値を入力し、１設定期間の再設定を行う場合、操作部４６によりボックス６６Ｂに所望の第１設定期間を入力する。また、医師は、第２閾値の再設定を行う場合、操作部４６によりボックス６８Ｂに所望の第２閾値を入力し、第２設定期間の再設定を行う場合、操作部４６によりボックス６８Ｂに所望の第２設定期間を入力する。そして、アドバイス画面６０に表示されたボタン７０を医師が操作部４６を用いて押す（クリックする）ことにより、再計算が指示される。
【００７７】
ボタン７０が医師により押された場合、ステップＳ１２４の判定が肯定判定となり、ステップＳ１２６へ移行する。ステップＳ１２６で制御部４０は、ボックス６６Ａ、ボックス６６Ｂ、ボックス６８Ａ、及びボックス６８Ｂに入力された設定値を取得した後、ステップＳ１００に戻り、上記各ステップの処理を繰り返す。
【００７８】
一方、ボタン７０が医師により押されていない場合、ステップＳ１２４の判定が否定判定となり、ステップＳ１２８へ移行する。ステップＳ１２８で制御部４０は、本提示処理を終了するか否かを判定する。本提示処理を終了するか否かを判定するための基準は特に限定されないが、例えば、アドバイス画面６０に表示された図示を省略したボタン等を操作部４６によって医師が押すことにより、日内変動グラフ表示画面５０の表示の指示や、終了の指示が行われたことを基準とし、当該基準を満たした場合、本提示処理を終了すると判定してもよい。当該基準を満たさない場合、ステップＳ１２８の判定が否定判定となり、ステップＳ１２０に戻る。一方、当該基準を満たした場合、ステップＳ１２８の判定が肯定判定となり、本提示処理を終了する。
【００７９】
このように本実施形態では、表示装置１６が、持続血糖測定器１４が測定した使用者Ｕの持続血糖測定データ３１Ａに基づいて、使用者Ｕが低血糖状態である時間帯、及び高血糖状態である時間帯を判定し、判定したタイミングを自己血糖測定器１２を用いて使用者Ｕが血糖値の測定を行う測定タイミングとして提示する。これにより、本実施形態の表示装置１６によれば、自己血糖測定器１２を用いて測定を行う適切な測定タイミングを提示することができる。
【００８０】
[第２実施形態]
上述したように、血糖値の測定回数が、自己血糖測定器１２のほうが持続血糖測定器１４に比べて少ないため、自己血糖測定器１２の自己血糖測定データ２１Ａによる使用者Ｕの血糖値（血糖値の変動）と、持続血糖測定器１４の持続血糖測定データ３１Ａによる使用者Ｕのグルコース値（血糖値の変動）とが相違する。
【００８１】
そこで、本実施形態では、使用者Ｕが高血糖状態である傾向が強い時間帯や、逆に低血糖状態である傾向が強い時間帯であるにもかかわらず、自己血糖測定器１２による測定回数（以下、「自己測定回数」という）が少ない時間帯を自己血糖測定器１２により血糖値の測定を行う適切な測定タイミングとして提示する形態について説明する。
【００８２】
本実施形態の血糖値測定システム１０、自己血糖測定器１２、持続血糖測定器１４、及び表示装置１６の構成は第１実施形態と同様であるため、説明を省略する。
【００８３】
また、表示装置１６における、自己血糖測定器１２の自己血糖測定データ２１Ａ（第２情報）に基づく自己測定日内変動グラフ５２、及び持続血糖測定器１４の持続血糖測定データ３１Ａ（第１情報）に基づく持続測定日内変動グラフ５４を含む日内変動グラフ表示画面５０の表示についても、第１実施形態と同様であるため、説明を省略する。
【００８４】
本実施形態では、表示装置１６の制御部４０において実行される提示処理の一部が、第１実施形態の表示装置１６の制御部４０において実行される提示処理（図８参照）と異なるため、異なる処理について説明する。
【００８５】
図１１には、本実施形態の表示装置１６の制御部４０によって実行される提示処理の流れの一例を表したフローチャートを示す。図１１に示すように、本実施形態の提示処理は、ステップＳ１１６とステップＳ１１８との間に、ステップＳ１１７Ａ〜Ｓ１１７Ｃの処理を実行する点で、第１実施形態の提示処理（図８参照）と異なっている。
【００８６】
本実施形態の提示処理では、ＲＡＭ４０Ｃにアドバイスを提示する対象を表す情報が保存されている場合、ステップＳ１１６の判定が肯定判定となり、ステップＳ１１７Ａへ移行する。
【００８７】
ステップＳ１１７Ａで制御部４０は、アドバイスを提示する対象に応じた時間帯の自己血糖測定データ２１Ａを記憶部４１から取得する。次のステップＳ１１７Ｂで制御部４０は、自己血糖測定データ２１Ａにおける自己測定回数を判定する。なお、アドバイスを提示する対象に応じた時間帯に使用者Ｕが自己血糖測定器１２により血糖値の測定を行っていない場合、自己血糖測定データ２１Ａには当該時間帯に対応するデータが含まれていない。この場合、本実施形態の制御部４０は、ステップＳ１１７Ａにおいて、自己血糖測定データ２１Ａを取得せず、ステップＳ１１７Ｂにおいて自己測定回数を「０」回と判定する。
【００８８】
次のステップＳ１１７Ｃで制御部４０は、上記ステップＳ１１７Ｂで判定した自己測定回数が所定の測定回数以上であるか否かを判定する。ここで所定の測定回数は、使用者Ｕが、自分が低血糖状態、高血糖状態、及び低血糖でも高血糖でもない状態のいずれであるのかを認識するために十分な自己測定回数であるか否かの判定に用いる閾値である。すなわち、本実施形態では、時間帯毎に自己測定回数が所定の測定回数未満である場合、低血糖状態または高血糖状態であるにも係わらず、使用者Ｕがその状態を十分に認識できていない可能性があるとみなす。
【００８９】
本実施形態では、全ての時間帯において自己測定回数が所定の測定回数以上である場合、使用者Ｕが自己血糖測定器１２による血糖値の測定結果に基づいて、低血糖状態または高血糖状態であることを認識できているとみなせるため、測定ポイントの提示を行わない。そのため、この場合はステップＳ１１７Ｃの判定が否定判定となり、ステップＳ１２０へ移行する。
【００９０】
一方、自己測定回数が所定の測定回数未満である時間帯が１つでもある場合、ステップＳ１１７Ｃの判定が否定判定となり、ステップＳ１１８へ移行し、ステップＳ１１８でアドバイス画面６０を生成して表示部４４に表示させる。
【００９１】
なお、ステップＳ１１８の処理において、制御部４０が生成して表示部４４に表示させせるアドバイス画面６０の一部が第１実施形態のアドバイス画面６０（図９及び図１０参照）と異なる。図１２には、本実施形態のアドバイス画面６０の一例を示す。
【００９２】
図１２に示すように、本実施形態のアドバイス画面６０に表示されるアドバイス６３は、各時間帯における、自己測定回数（「ＳＭＢＧ測定件数」参照）が表示される。
【００９３】
また、図１２に示すように、アドバイス画面６０には、所定の測定回数を再設定するための再設定情報７２、低血糖状態を判定するための第１閾値及び第１設定期間を再設定するための再設定情報６６、及び高血糖状態を判定するための第２閾値及び第２設定期間を再設定するための再設定情報６８が表示される。再設定情報７２は所定の測定回を設定するためのボックス７２Ａを含む。なお、ボックス７２Ａには、現在設定されている各々の値が表示されている。
【００９４】
医師は、所定の測定回数の再設定を行う場合、操作部４６によりボックス７２Ａに所望の所定の測定回数を入力する。そして、アドバイス画面６０に表示されたボタン７０を医師が操作部４６を用いて押す（クリックする）ことにより、再計算が指示される。
【００９５】
そのため、本実施形態のステップＳ１２６で制御部４０は、ボックス６６Ａ、ボックス６６Ｂ、ボックス６８Ａ、ボックス６８Ｂ、及びボックス７２Ａに入力された設定値を取得した後、ステップＳ１００に戻り、上記各ステップの処理を繰り返す。
【００９６】
このように本実施形態では、表示装置１６が、使用者Ｕが低血糖状態または高血糖状態であるにも係わらず、自己血糖測定器１２による血糖値の測定が少ない時間帯を、自己血糖測定器１２により血糖値の測定を行う適切な測定タイミングとして提示する。これにより、本実施形態の表示装置１６によれば、自己血糖測定器１２を用いて測定を行う適切な測定タイミングを提示することができる。
【００９７】
[第３実施形態]
上記各実施形態では、時間帯に応じて測定タイミングを判定して提示する形態について説明したが、本実施形態では、時間帯によらず測定タイミングを判定して提示する形態について説明する。
【００９８】
本実施形態の血糖値測定システム１０、自己血糖測定器１２、持続血糖測定器１４、及び表示装置１６の構成は第１実施形態と同様であるため、説明を省略する。
【００９９】
また、表示装置１６における、自己血糖測定器１２の自己血糖測定データ２１Ａ（第２情報）に基づく自己測定日内変動グラフ５２、及び持続血糖測定器１４の持続血糖測定データ３１Ａ（第１情報）に基づく持続測定日内変動グラフ５４を含む日内変動グラフ表示画面５０の表示についても、第１実施形態と同様であるため、説明を省略する。
【０１００】
本実施形態では、表示装置１６の制御部４０において実行される提示処理の一部が、第１実施形態の表示装置１６の制御部４０において実行される提示処理（図８参照）と異なるため、異なる処理について説明する。
【０１０１】
図１３には、本実施形態の表示装置１６の制御部４０によって実行される提示処理の流れの一例を表したフローチャートを示す。図１３に示すように、本実施形態の提示処理は、第実施形態の提示処理（図８参照）のステップＳ１００に替わりステップＳ１００Ａを実行し、ステップＳ１１４に替わりステップＳ１１４Ａの処理を実行する点が異なっている。
【０１０２】
本実施形態の提示処理では図１３に示すように、ステップＳ１００Ａで制御部４０は、１つの測定日についての持続血糖測定データ３１Ａを記憶部４１から取得する。すなわち、制御部４０は、１日分（２４時間分）の持続血糖測定データ３１Ａを取得する。このように、本実施形態では、上記各実施形態の時間帯に替わり、測定日毎に、アドバイス提示対象とするか否かの判定を行う。
【０１０３】
そのため、本実施形態では、２４時間分の持続血糖測定データ３１Ａのうち、第１設定期間以上である第１期間の全てがステップＳ１０６において、アドバイスを提示する対象としてＲＡＭ４０Ｃに保存される。また、２４時間分の持続血糖測定データ３１Ａのうち、第２設定期間以上である第２期間の全てがステップＳ１１２において、アドバイスを提示する対象としてＲＡＭ４０Ｃに保存される。
【０１０４】
そして、ステップＳ１１４Ａで制御部４０は、全ての測定日について、ステップＳ１００Ａ〜Ｓ１１２の各処理を行ったか否かを判定する。まだ、ステップＳ１００Ａ〜Ｓ１１２の各処理を行っていない測定日がある場合、ステップＳ１１４Ａの判定が否定判定となり、ステップＳ１００Ａに戻る。そして、制御部４０は、まだステップＳ１００Ａ〜Ｓ１１２の各処理を行っていない測定日の持続血糖測定データ３１Ａを取得してステップＳ１００Ａ〜Ｓ１１２の各処理を実行する。
【０１０５】
従って、本実施形態では、アドバイスを提示する対象となった、第１期間及び第２期間が測定ポイントとして提示される。
【０１０６】
このように、本実施形態の表示装置１６では、持続血糖測定器１４が測定した使用者Ｕの持続血糖測定データ３１Ａに基づいて、使用者Ｕが低血糖状態である第１期間、及び高血糖状態である第２期間を判定し、判定した第１期間及び第２期間を自己血糖測定器１２を用いて使用者Ｕが血糖値の測定を行う測定タイミングとして提示する。これにより、本実施形態の表示装置１６においても、自己血糖測定器１２を用いて測定を行う適切な測定タイミングを提示することができる。
【０１０７】
以上説明したように、上記各実施形態の表示装置１６は使用者Ｕのグルコース値を所定の時間間隔で持続血糖測定器１４が測定した測定結果と、当該測定を行った測定時刻とが対応付けられた持続血糖測定データ３１Ａを取得し、取得した持続血糖測定データ３１Ａに基づいて、自己血糖測定器１２を用いて使用者Ｕが血糖値の自己測定を行うタイミングを判定して提示する。
【０１０８】
従って、上記各実施形態の表示装置１６によれば、使用者Ｕが自己血糖測定器１２により血糖値の測定を行う適切な測定タイミングを提示することができる。
【０１０９】
また、上記各実施形態の表示装置１６によれば、個々の使用者Ｕ持続血糖測定データ３１Ａを用いて測定タイミングを判定しているため、個々の使用者Ｕに応じた適切な測定タイミングを提示することができる。
【０１１０】
また、上記各実施形態の表示装置１６によって測定タイミングを提示することにより、表示装置１６を用いずとも、自己血糖測定器１２を用いた自己測定により使用者Ｕが自己の血糖値の状態を適切に認識することができるようになる。従って、持続血糖測定器１４のセンサ３８Ａを常時皮膚に装着していることによる使用者Ｕの煩わしさをなくすことができる。
【０１１１】
なお、本発明は、上述した各実施形態に限定されず、種々に変更することができ、また、各実施形態を組み合わせてもよいことは言うまでもない。
【０１１２】
例えば、上記各実施形態では、表示装置１６が低血糖状態及び高血糖状態の両方の状態について、判定を行い測定ポイントを判定して提示する形態について限定したが、当該形態に限定されず、いずれか一方の状態について、判定を行い測定ポイントを提示する形態であってもよい。
【０１１３】
また、上記各実施形態では、持続血糖測定器１４がＣＧＭに用いる測定器である形態について詳細に説明したが、当該測定器に限定されず、使用者Ｕのグルコース値を所定の時間間隔で、持続的に測定し、少なくとも各時間帯における測定回数が自己血糖測定器１２による一般的な測定回数よりも多い測定器であればよい。例えば、持続血糖測定器１４は、ＦＧＭに用いる測定器であってもよい。また、自己血糖測定器１２がＳＭＢＧに用いる測定器である形態について詳細に説明したが、当該測定器に限定されず、使用者Ｕが、自身の任意のタイミングで血糖値を測定する測定器であればよい。
【０１１４】
また、上記実施形態では、第１閾値、第１設定期間、第２閾値、第２設定期間、及び所定の測定回数の各々の値について初期値が予め定められており、提示処理を開始した際は、当該初期値を用いる形態について説明したが、当該形態に限定されない。例えば、表示装置１６の制御部４０は、提示処理を行った際に用いた値を記憶しておき、同一の使用者Ｕに対し次に提示処理を実行した際は、前回記憶しておいた値を用いる形態としてもよい。
【０１１５】
日内変動グラフ表示画面５０及びアドバイス画面６０も一例であることはいうまでもない。例えば、アドバイス画面６０では、アドバイス６１における各時間帯について、開始時刻のみ表示しているが、当該時間帯の終了時刻についても表示させる形態としてもよい。
【０１１６】
また、測定ポイントの提示形態は、表示装置１６の表示部４４への表示に限定されない。例えば、使用者Ｕが有する携帯機器等のその他の装置に表示させてもよい。また例えば、上記のように可視表示に限らず、音声で提示する可聴表示等であってもよい。
【０１１７】
また、上記各実施形態では、提示プログラムをＲＯＭ４０Ｂから読み出す形態を例示したが、必ずしも最初からＲＯＭ４０Ｂに記憶させておく必要はない。例えば、ＳＳＤ（Solid State Drive）、ＵＳＢ（Universal Serial Bus）メモリ、またはＣＤ−ＲＯＭ（Compact Disc Read Only Memory）等の任意の可搬型の記憶媒体に先ずは提示プログラムを記憶させておいてもよい。この場合、記憶媒体の提示プログラムが表示装置１６にインストールされてＲＯＭ４０Ｂに記憶され、ＲＯＭ４０Ｂに記憶された提示プログラムがＣＰＵ４０Ａによって実行される。
【０１１８】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【符号の説明】
【０１１９】
１０  血糖値測定システム
１２  自己血糖測定器
１４  持続血糖測定器
１６  表示装置
２１Ａ  自己血糖測定データ
３１Ａ  持続血糖測定データ
４０  制御部
５０  日内変動グラフ表示画面
６０  アドバイス画面
６１  アドバイス
【図１】
2019018005.tif 000003
【図２】
2019018005.tif 000004
【図３】
2019018005.tif 000005
【図４】
2019018005.tif 000006
【図５】
2019018005.tif 000007
【図６】
2019018005.tif 000008
【図７】
2019018005.tif 000009
【図８】
2019018005.tif 000010
【図９】
2019018005.tif 000011
【図１０】
2019018005.tif 000012
【図１１】
2019018005.tif 000013
【図１２】
2019018005.tif 000014
【図１３】
2019018005.tif 000015